(57)【特許請求の範囲】
【請求項１】
第一の基板と透明導電膜と多孔質酸化物半導体層からなる作用極、第二の基板と導電膜からなる対極およびこれらの間に形成された電解質層を備える積層体と、
これらを収容する筐体とを備えた色素増感型太陽電池であって、
導電体が、前記作用極の前記対極と対向する面の周縁部において、前記多孔質酸化物半導体層を囲むように設けられており、
前記筐体は、前記積層体を覆う枠体と、前記積層体を前記枠体に固定する蓋体とからなり、前記枠体は、前記作用極において前記導電体が形成されている位置に対応した領域を覆うことを特徴とする色素増感型太陽電池。
【請求項２】
前記蓋体が前記枠体に取り外し可能に固定されていることを特徴とする請求項１に記載の色素増感型太陽電池。
【請求項３】
前記対極と前記蓋体との間に弾性部材が介在していることを特徴とする請求項１または２に記載の色素増感型太陽電池。
【発明の詳細な説明】
【技術分野】
【０００１】
本発明は、色素増感型太陽電池に関する。
【背景技術】
【０００２】
環境問題、資源問題などを背景に、クリーンエネルギーとしての太陽電池が注目を集めている。太陽電池としては単結晶、多結晶あるいはアモルファスのシリコンを用いたものがある。しかしながら、従来のシリコン系太陽電池は、製造コストが高い上に、原料供給が不充分であるなどの課題が残されているため、普及していない。
また、Ｃｕ−Ｉｎ−Ｓｅ系（ＣＩＳ系とも呼ぶ）などの化合物系太陽電池も開発されており、この化合物系太陽電池は極めて高い光電変換効率を示すなど優れた特徴を有している。しかしながら、この化合物系太陽電池も、コストや環境負荷などの問題から普及していない。
【０００３】
これらの太陽電池に対して、スイスのグレッツェルらのグループなどから提案された色素増感型太陽電池は、安価で、かつ、高い光電変換効率が得られる光電変換素子として注目されている。
【０００４】
図４は、従来の色素増感型太陽電池の一例を示す概略断面図である。
この色素増感型太陽電池１００は、増感色素を担持させた多孔質半導体電極（以下、「色素増感半導体電極」と言うこともある。）１０３が一方の面に形成された第一基板１０１と、導電膜１０４が形成された第二基板１０５と、これらの間に封入されたゲル状電解質などからなる電解質層１０６とから概略構成されている。
【０００５】
第一基板１０１としては光透過性の板材が用いられ、第一基板１０１の色素増感半導体電極１０３と接する面には導電性を付与するために透明導電膜１０２が設けられている。また、第一基板１０１、透明導電膜１０２および色素増感半導体電極１０３から窓極１０８が構成されている。
【０００６】
一方、第二基板１０５としては、電解質層１０６と接する側の面には導電性を付与するために炭素や白金などからなる導電膜１０４が設けられている。また、第二基板１０５および導電膜１０４から対極１０９が構成されている。
【０００７】
色素増感型太陽電池１００では、色素増感半導体電極１０３と導電膜１０４が対向するように、第一基板１０１と第二基板１０５が所定の間隔をおいて配置されており、両基板間の周縁部に熱可塑性樹脂からなる封止材１０７が設けられている。この封止材１０７は、電解質層１０６に含まれる電解液が漏出したり、揮発性成分が揮発したりすることを防ぐ役目を果たしている。
【０００８】
次に、色素増感型太陽電池１００の製造方法の概略を説明する。
まず、熱可塑性樹脂からなる封止材１０７を介して窓極１０８と対極１０９を積層した後、窓極１０８および対極１０９、または、窓極１０８あるいは対極１０９のいずれか一方を介して封止材１０７を加熱して、溶融することにより、窓極１０８と対極１０９を接着して、一対の電極（窓極１０８と対極１０９）からなる積層体を組み立てる。
次いで、対極１０９を貫通するように設けられた注入口１１０を通して、窓極１０８と対極１０９の間にヨウ素・ヨウ化物イオンなどの酸化・還元種を含む電解液を充填した後、注入口１１０を蓋１１１で塞ぎ、電荷移送用の電解質層１０６を形成し、一対の電極（窓極１０８と対極１０９）と、これらの間に挟まれた電解質層１０６からなる色素増感型太陽電池１００を得る（例えば、特許文献１、非特許文献１参照。）。
【０００９】
上述のような色素増感型太陽電池１００の製造では、積層体を組み立てる際に封止材１０７を溶融する熱によって、色素増感半導体電極１０３に担持させた増感色素が劣化するおそれがある。また、積層体を組み立てた後に、窓極１０８と対極１０９の間に電解液を充填しなければならなかった。その結果、電解液の粘度が高いと、電解液の充填には多大な時間と手間を要するという問題があった。
【００１０】
また、封止材１０７は熱可塑性樹脂からなるので、耐候性に劣るため、長期使用には適さないという問題があった。
さらに、窓極１０８と対極１０９の間に電解液を充填するためには、これらの電極間には所定の距離が必要である。その結果、最終的に得られる色素増感型太陽電池１００の発電効率が低下するという問題があった。
【特許文献１】特開２００２−１８４４７８号公報
【非特許文献１】Ｎ．Ｐａｐａｇｅｏｒｇｉｏｕ  ｅｔ  ａｌ．，Ｊ．Ｅｌｅｃｔｒｏｃｈｅｍ．Ｓｏｃ．，１４３（１０），３０９９，１９９６
【発明の開示】
【発明が解決しようとする課題】
【００１１】
本発明は、前記事情に鑑みてなされたもので、安価に製造することが可能で、長期信頼性および発電効率に優れ、不具合発生時に修理や交換が容易な光電変換素子を提供することを目的とする。
【課題を解決するための手段】
【００１２】
本発明は、上記課題を解決するために、第一の基板と透明導電膜と多孔質酸化物半導体層からなる作用極、第二の基板と導電膜からなる対極およびこれらの間に形成された電解質層を備える積層体と、これらを収容する筐体とを備えた色素増感型太陽電池であって、導電体が、前記作用極の前記対極と対向する面の周縁部において、前記多孔質酸化物半導体層を囲むように設けられており、前記筐体は、前記積層体を覆う枠体と、前記積層体を前記枠体に固定する蓋体とからなり、前記枠体は、前記作用極において前記導電体が形成されている位置に対応した領域を覆う色素増感型太陽電池を提供する。
【００１４】
上記色素増感型太陽電池において、前記蓋体が前記枠体に取り外し可能に固定されていることが好ましい。
【００１５】
上記色素増感型太陽電池において、前記対極と前記蓋体との間に弾性部材が介在していることが好ましい。
【発明の効果】
【００１６】
本発明の光電変換素子は、積層体を組み立てた後に、作用極と対極の間に電解液を充填する必要がないので、工程を簡略化することができる。また、本発明の光電変換素子は、熱可塑性樹脂などからなる封止材を必要としないので、耐候性すなわち長期信頼性に優れている。さらに、本発明の光電変換素子は、作用極と対極の間に距離をおく必要がないので、発電効率に優れている。また、本発明の光電変換素子は、筐体を構成する枠体に設けられた押圧部が、作用極における少なくとも導電体が形成されている領域を覆っており、作用極における発電に関与する部分が蓋板などで覆われることなく、電解質層を作用極と対極で挟んでなる積層体が筐体によって封止されているから、作用極における発電に関与する部分に入射する光量が減少することがないため、より発電効率に優れたものとなる。
【００１７】
また、本発明の光電変換素子において、導電体を作用極の周縁部に形成すれば、作用極における発電に関与する部分の面積を大きくすることができ、基板の抵抗を下げることができるため、より発電効率に優れた光電変換素子を実現することができる。
【００１８】
また、本発明の光電変換素子において、筐体を構成する枠体と蓋体を取り外し可能に固定すれば、積層体に不具合が生じた場合、これを筐体から取り外して修理したり、良品に交換したりすることができる。また、筐体を繰り返し使用することができるので、製造コストを削減することもできる。
【００１９】
さらに、本発明の光電変換素子において、対極と蓋体との間に弾性部材を介在させれば、積層体の積層方向に外力が加えられても、作用極と対極との間で横ズレが発生するのを抑制することができる。また、弾性部材によって、積層体を、その積層方向に柔軟性を保ちながら強固に筐体に固定することができる。
【発明を実施するための最良の形態】
【００２０】
以下、本発明を実施した光電変換素子について、図面を参照して説明する。
【００２１】
図１は、本発明に係る光電変換素子の第一の実施形態として、色素増感型太陽電池を示す概略断面図である。図２は、図１の色素増感型太陽電池を示す概略平面図である。
図１および図２中、符号１０は色素増感型太陽電池、１１は第一の基板、１２は透明導電膜、１３は多孔質酸化物半導体層、１４は作用極、１５は電解質層、１６は第二の基板、１７は導電膜、１８は対極、１９は弾性部材、２０は導電体、２１は隙間充填材、２５は積層体、３０は筐体、３１は枠体、３２は蓋体、３３は接着剤層、３４は接着剤層をそれぞれ示している。
【００２２】
この色素増感型太陽電池１０は、増感色素が表面に担持された多孔質酸化物半導体層１３が一方の面１４ａに設けられた作用極１４と、一方の面１４ａと対向して配置された対極１８と、一方の面１４ａと対極１８における一方の面１４ａと対向する面１８ａ（以下、「対極１８の一方の面１８ａ」と称する。）との間に形成された電解質層１５と、一方の面１４ａの周縁部に設けられた導電体２０と、これらを収容する筐体３０とから概略構成されている。
【００２３】
なお、この色素増感型太陽電池１０では、電解質層１５をなす電解質の大部分が、多孔質酸化物半導体層１３の空隙部分に含浸された状態となっている。
【００２４】
作用極１４は、第一の基板１１と、この一方の面１１ａ上に順に形成された透明導電膜１２および多孔質酸化物半導体層１３とから構成されている。また、作用極１４の対極１８と対向する面の周縁部において、多孔質酸化物半導体層１３の側面１３ａを囲むように導電体２０が設けられている。
【００２５】
対極１８は、第二の基板１６と、この一方の面１６ａ上に形成された導電膜１７とから構成されている。
【００２６】
色素増感型太陽電池１０において、電解質層１５を作用極１４と対極１８で挟んでなる積層体２５が光電変換素子として機能する。
【００２７】
色素増感型太陽電池１０において、積層体２５は、積層体２５の側面２５ａおよび作用極１４における他方の面１４ｂの一部を覆う枠体３１と、対極１８の他方の面１８ｂに接して積層体２５を枠体３１に固定する蓋体３２とからなる筐体３０内に収容されている。
【００２８】
枠体３１は、積層体２５の側面２５ａの全域を外側から覆う枠部３１Ａと、枠部３１Ａから、これと垂直かつ内方（中心方向）に突設された押圧部３１Ｂとから構成されている。そして、枠部３１Ａの内面３１ａには積層体２５の側面２５ａが接するか、または、枠部３１Ａの内面３１ａの近傍に積層体２５の側面２５ａが配されるように、積層体２５が筐体３０内に収容されている。また、押圧部３１Ｂの内面３１ｂには、接着剤層３３を介して作用極１４の他方の面１４ｂが接している。また、押圧部３１Ｂは、作用極１４の他方の面１４ｂにおいて、その一方の面１４ａに形成されている導電体２０の位置に対応した領域を覆うように設けられており、押圧部３１Ｂの端面３１ｃと、導電体２０の多孔質酸化物半導体層１３側の側面２０ａとがほぼ同一面上に存在している。
また、蓋体３２は、弾性部材１９を介して対極１８の他方の面１８ｂに接している。さらに、蓋体３２は、接着剤層３４を介して枠体３１に固定されている。
【００２９】
なお、押圧部３１Ｂが、作用極１４の他方の面１４ｂにおいて、その一方の面１４ａに形成されている導電体２０の位置に対応した領域を覆うように設けられている構造は、図１に示すように、押圧部３１Ｂの端面３１ｃと、導電体２０の多孔質酸化物半導体層１３側の側面２０ａとがほぼ同一面上に存在している構造だけでなく、押圧部３１Ｂの端面３１ｃが多孔質酸化物半導体層１３の存在する領域に存在する構造や、押圧部３１Ｂの端面３１ｃが導電体２０の側面２０ａよりも枠部３１Ａ側の領域に存在する構造を含む。
【００３０】
また、蓋体３２と導電体２０との間には、弾性部材１９を介し、かつ、対極１８の側面を囲むように隙間充填材２１が配されている。なお、本発明の光電変換素子にあっては、隙間充填材は設けられていなくてもよい。
【００３１】
このような構成とすることにより、積層体２５は、その上下面が枠体３１の押圧部３１Ｂと蓋体３２で挟み込まれて、その積層方向に押圧された状態で、筐体３０内に収容される。また、この状態で、積層体２５の側面２５ａの全域が枠部３１Ａに覆われて、積層体２５は筐体３０によって一括して封止されている。
【００３２】
なお、蓋体３２は、接着剤層３４を介して枠体３１に固定されているが、枠体３１と蓋体３２との間に、剃刀の刃などの薄く、硬い刃物を挿入することにより、蓋体３２は、枠体３１から容易に取り外すことができるようになっていることが好ましい。
【００３３】
第一の基板１１としては、光透過性の素材からなる基板が用いられ、ガラス、ポリエチレンテレフタレート、ポリエチレンナフタレート、ポリカーボネート、ポリエーテルスルホンなど、通常、太陽電池の透明基板として用いられるものであればいかなるものもでも用いることができる。第一の基板１１は、これらの中から電解液への耐性などを考慮して適宜選択されるが、用途上、できる限り光透過性に優れる基板が好ましい。
【００３４】
透明導電膜１２は、第一の基板１１に導電性を付与するために、その一方の面１１ａに形成された金属、炭素、導電性金属酸化物などからなる薄膜である。
透明導電膜１２として金属薄膜や炭素薄膜を形成する場合、第一の基板１１の透明性を著しく損なわない構造とする。透明導電膜１２を形成する導電性金属酸化物としては、例えば、インジウム−スズ酸化物（Ｉｎｄｉｕｍ−Ｔｉｎ  Ｏｘｉｄｅ、ＩＴＯ）、酸化スズ（ＳｎＯ２）、フッ素ドープの酸化スズなどが用いられる。
【００３５】
多孔質酸化物半導体層１３は、透明導電膜１２の上に設けられており、その表面には増感色素が担持されている。多孔質酸化物半導体層１３を形成する半導体としては特に限定されず、通常、太陽電池用の多孔質半導体を形成するのに用いられるものであればいかなるものでも用いることができる。このような半導体としては、例えば、酸化チタン（ＴｉＯ２）、酸化スズ（ＳｎＯ２）、酸化タングステン（ＷＯ３）、酸化亜鉛（ＺｎＯ）、酸化ニオブ（Ｎｂ２Ｏ５）などを用いることができる。
多孔質酸化物半導体層１３を形成する方法としては、例えば、ゾルゲル法からの膜形成、微粒子の泳動電着、発泡剤による多孔質化、ポリマービーズなどとの混合物塗布後における余剰成分の除去などの方法が挙げられるが、これらに限定されるものではない。
【００３６】
増感色素としては、ビピリジン構造、ターピリジン構造などを配位子に含むルテニウム錯体、ポルフィリン、フタロシアニンなどの含金属錯体、エオシン、ローダミン、メロシアニンなどの有機色素などを適用することができ、これらの中から、用途、使用半導体に適した励起挙動を示すものを特に限定無く選ぶことができる。
【００３７】
電解質層１５は、多孔質酸化物半導体層１３内に電解液を含浸させてなるものか、または、多孔質酸化物半導体層１３内に電解液を含浸させた後に、この電解液を適当なゲル化剤を用いてゲル化（擬固体化）して、多孔質酸化物半導体層１３と一体に形成されてなるものが用いられる。
【００３８】
電解液としては、ヨウ素、ヨウ化物イオン、ターシャリーブチルピリジンなどの電解質成分が、エチレンカーボネートやメトキシアセトニトリルなどの有機溶媒に溶解されてなるものが用いられる。
【００３９】
電解液をゲル化する際に用いられるゲル化剤としては、ポリフッ化ビニリデン、ポリエチレンオキシド誘導体、アミノ酸誘導体などが挙げられる。
【００４０】
第二の基板１６としては、第一の基板１１と同様のものや、特に光透過性をもつ必要がないことから金属板、合成樹脂板などが用いられる。
【００４１】
導電膜１７は、第二の基板１６に導電性を付与するために、その一方の面１６ａに形成された白金などの金属、炭素などからなる薄膜である。導電膜１７としては、例えば炭素や白金などの層を、蒸着、スパッタ、塩化白金酸塗布後に熱処理を行ったものが好適に用いられるが、電極として機能するものであれば特に限定されるものではない。
【００４２】
弾性部材１９としては、発泡ポリエチレン、発泡ポリウレタン、ゴムスポンジなどが用いられる。
色素増感型太陽電池１０では、積層体２５を筐体３０によって封止することにより、積層体２５にはその積層方向に外力が加えられる。弾性部材１９を対極１８と蓋体３２との間に介在させることにより、この外力によって、作用極１４と対極１８との間で横ズレが発生するのを抑制することができる。また、弾性部材１９によって、積層体２５を、その積層方向に柔軟性を保ちながら強固に筐体３０に固定することができる。
【００４３】
導電体２０としては、スクリーン印刷法により、銀などの導電性インクで回路形成したものや、はんだ付けをして回路形成したものなどが挙げられる。導電体２０は、色素増感型太陽電池１０内で発生した電子を効率良く収集するために、作用極１４の周縁部に（多孔質酸化物半導体層１３の側面を囲むように）設けられている。
また、この導電体２０を介して、積層体２５と筐体３０に設けられた外部接続用端子（図示略）とが電気的に接続できるようになっている。
【００４４】
隙間充填材２１としては、発泡ポリエチレン、発泡ポリウレタン、ゴムスポンジなどが用いられる。
蓋体３２と導電体２０との間に隙間充填材２１を介在させることにより、積層体２５を筐体３０によって封止する際に生じる外力によって、作用極１４と対極１８との間で横ズレが発生するのを抑制することができる。また、隙間充填材２１によって、積層体２５を、その積層方向に柔軟性を保ちながら強固に筐体３０に固定することができる。
【００４５】
筐体３０を構成する枠体３１および蓋体３２を形成する素材としては特に限定されないが、各種金属、セラミックス、各種合成樹脂などが用いられる。
【００４６】
接着剤層３３をなす接着剤としては、第一の基板１１を枠体３１に接着可能なものであればいかなるものでも用いることができるが、特に、所定の外力を加えることによって、積層体２５を枠体３１から容易に取り外すことができるものが好ましい。接着剤層３３をなす接着剤としては、例えば、エポキシ系接着剤などが用いられる。
【００４７】
接着剤層３４をなす接着剤としては、接着剤層３３をなす接着剤と同様のものを用いることも可能であるが、蓋体３２を枠体３１に接着可能なものであればいかなるものでも用いることができる。特に、接着剤層３４をなす接着剤としては、所定の外力を加えることによって、蓋体３２を枠体３１から容易に取り外すことができるものが好ましい。接着剤層３４をなす接着剤としては、例えば、エポキシ系接着剤などが用いられる。
【００４８】
以上説明したように、色素増感型太陽電池１０では、積層体２０を組み立てた後に、作用極１４と対極１８の間に電解液を充填する必要がないので、工程を簡略化することができる。また、色素増感型太陽電池１０は、熱可塑性樹脂などからなる封止材を必要としないので、耐候性すなわち長期信頼性に優れている。さらに、色素増感型太陽電池１０は、作用極１４と対極１８の間に距離をおく必要がないので、発電効率に優れている。
また、色素増感型太陽電池１０は、筐体３０を構成する枠体３１に設けられた押圧部３１Ｂが、作用極１４の他方の面１４ｂにおいて、一方の面１４ａに形成されている導電体２０の存する領域を覆っており、作用極１４における発電に関与する部分が蓋板などで覆われることなく、積層体２５が筐体３０によって封止される。したがって、作用極１４における発電に関与する部分に入射する光量が減少することがないため、色素増感型太陽電池１０はより発電効率に優れたものとなる。
【００４９】
また、色素増感型太陽電池１０では、導電体２０が作用極１４における一方の面１４ａの周縁部に形成されているから、作用極１４における発電に関与する部分の面積を大きくすることができるため、色素増感型太陽電池１０はより発電効率に優れたものとなる。
【００５０】
さらに、色素増感型太陽電池１０では、積層体２５が接着剤層３３を介して枠体３１に取り外し可能に固定され、かつ、蓋体３２が接着剤層３４を介して枠体３１に取り外し可能に固定されているから、積層体２５に不具合が生じた場合、これを筐体３０から取り外して修理したり、良品に交換したりすることができる。また、筐体３０を繰り返し使用することができるので、製造コストを削減することもできる。
【００５１】
次に、本発明に係る光電変換素子の製造方法の一実施形態を、図１を参照して説明する。
この実施形態では、まず、第一の基板１１における一方の面１１ａ上に透明導電膜１２および多孔質酸化物半導体層１３が所定の方法により順に形成されてなる作用極１４を用意する。
【００５２】
次いで、作用極１４の一方の面１４ａにおける周縁部に導電体２０を設ける。
【００５３】
次いで、多孔質酸化物半導体層１３に、予めゲル化剤が添加された電解液を滴下して含浸させた後、この電解液をゲル化させて、多孔質酸化物半導体層１３と一体をなす電解質層１５を形成する。
【００５４】
次いで、作用極１４の他方の面１４ｂが接着剤層３３を介して枠体３１の押圧部３１Ｂの内面３１ｂに接するように、枠体３１内に作用極１４を配置する。
【００５５】
次いで、導電膜１７が電解質層１５に重なるように、対極１８を作用極１３に重ねて、電解質層１５を作用極１４と対極１８で挟んでなる積層体２５を、枠体３１内に形成する。
【００５６】
次いで、対極１８の側面を囲み、導電体２０に当接するように隙間充填材２１を配する。
次いで、弾性部材１９を介して対極１８を覆うように蓋体３２を配する。
【００５７】
次いで、蓋体３２の外側から積層体２５の積層方向に荷重を加えながら、蓋体３２を、接着剤層３４を介して枠体３１に固定し、筐体３０で積層体２５を封止することにより、色素増感型太陽電池１０を得る。
【００５８】
図３は、本発明に係る光電変換素子の第二の実施形態として、色素増感型太陽電池を示す概略断面図である。
この実施形態では、上記第一の実施形態とは、筐体３０によって積層体２５を封止する構造が異なっている。図３において、図１に示した第一の実施形態の構成要素と同じ構成要素には同一符号を付して、その説明を省略する。
【００５９】
色素増感型太陽電池４０において、枠部３１Ａの内面３１ａには積層体２５の側面２５ａが接しており、また、押圧部３１Ｂの内面３１ｂには、封止部材４１を介して作用極１４の他方の面１４ｂが接している。
また、蓋体３２は、封止部材４２を介して枠体３１に接している。さらに、蓋体３２は、螺子４３によって枠体３１に固定されている。
【００６０】
なお、筐体３０による積層体２５の封止を十分なものとするためには、封止部材４１を嵌合するための溝などからなる嵌合部（図示略）を、枠体３１の押圧部３１Ｂの内面３１ｂおよび作用極１４の一方の面１４ａに設けることが好ましい。また、封止部材４２を嵌合するための溝などからなる嵌合部（図示略）を、枠体３１の枠部３１Ａにおける蓋体３２と接触する面および蓋体３２の枠部３１Ａと接触する面に設けることが好ましい。
【００６１】
封止部材４１、４２としては、ニトリルゴム、シリコンゴム、ウレタンゴム、フッ素ゴムなどの弾性材料や、ポリ四フッ化エチレンなどからなるＯリング、ガスケットなどが用いられる。
【００６２】
螺子４３としては、蓋体３２を枠体３１に接合、固定することができるものであればいかなるものでも用いることができる。
【００６３】
なお、この実施形態では、蓋体３２を枠体３１に接合、固定する手段として、螺子４３を例示したが、本発明の光電変換素子はこれに限定されない。本発明の光電変換素子にあっては、蓋体を枠体に接合、固定する手段としては、例えば、枠体に設けられた被係止部に、蓋体に回転可能に設けられたフラップ状の係止部を係止する手段や、枠体の枠部、押圧部および蓋体の表面に接するように筐体の外側に装着される、断面コ字形スリーブ状のバネのクランプ力によって挟み込む手段などを用いることもできる。また、前記被係止部に係止部を係止する手段は、被嵌合部に嵌合部を嵌合する手段であってもよい。
【００６４】
このような構成とすることにより、積層体２５に不具合が生じた場合、積層体２５を筐体３０から容易に取り外して修理したり、良品に交換したりすることができる。
【産業上の利用可能性】
【００６５】
本発明によれば、高粘度もしくはゲル状の電解質を容易に充填できる利点を保ちながら、発生した電子を効率良く収集することができる色素増感型太陽電池を実現することができる。また、セルに入射する光量を減少することなく、筐体との分離性も高いことから、保守性やリサイクル性も高く、環境負荷の低い太陽電池を実現することができる。
【図面の簡単な説明】
【００６６】
【図１】本発明に係る光電変換素子の第一の実施形態として、色素増感型太陽電池を示す概略断面図である。
【図２】図１の色素増感型太陽電池を示す概略平面図である。
【図３】本発明に係る光電変換素子の第二の実施形態として、色素増感型太陽電池を示す概略断面図である。
【図４】従来の色素増感型太陽電池の一例を示す概略断面図である。
【符号の説明】
【００６７】
１０，４０・・・色素増感型太陽電池、１１・・・第一の基板、１２・・・透明導電膜、１３・・・多孔質酸化物半導体層、１４・・・作用極、１５・・・電解質層、１６・・・第二の基板、１７・・・導電膜、１８・・・対極、１９・・・弾性部材、２０・・・導電体、２１・・・隙間充填材、２５・・・積層体、３０・・・筐体、３１・・・枠体、３１Ａ・・・枠部、３１Ｂ・・・押圧部、３２・・・蓋体、３３，３４・・・接着剤層、４１，４２・・・封止部材、４３・・・螺子。
【図１】
0004689183.tif 000002
【図２】
0004689183.tif 000003
【図３】
0004689183.tif 000004
【図４】
0004689183.tif 000005